(57)【要約】【課題】生体への識別情報のマーキングを容易に行うことができる。【解決手段】生体マーキング用具セット１２は、複数の刺青用の針１ｂが生体３の表面３ｂに向かって押し付けられ得るように、複数の刺青用の針１ｂが器具本体１ａに配列された押付用具１と、それぞれが複数色の刺青用のインクのうちから選択されたいずれか１つの色の刺青用のインクを有する複数のインク部２ｂがシート本体２ａに配列されたインクシート２と、を備え、複数の刺青用の針１ｂおよび複数のインク部２ｂは、複数の刺青用の針のうちの少なくともいずれか１つが複数のインク部２ｂのそれぞれを貫通し得る位置関係で配列されている。【選択図】図１
2019110821.tif 000002
【特許請求の範囲】
【請求項１】
複数の刺青用の針が生体の表面に向かって押し付けられ得るように、前記複数の刺青用の針が器具本体に配列された押付用具と、
それぞれが複数色の刺青用のインクのうちから選択されたいずれか１つの色の刺青用のインクを有する複数のインク部を含み、前記複数のインク部がシート本体に配列されたインクシートと、を備え、
前記複数の刺青用の針および前記複数のインク部は、前記複数の刺青用の針のうちの少なくともいずれか１つが前記複数のインク部のそれぞれを貫通し得る位置関係で配列されている、生体マーキング用具セット。
【請求項２】
複数種類の前記インクシートを備え、
前記複数のインク部の色の配列は、複数種類の前記インクシートの間で互いに異なっている、請求項１に記載の生体マーキング用具セット。
【請求項３】
前記複数のインク部の色の配列は、異なる色の配列によって識別力を発揮するように、隣り合う色同士の変化の態様に応じてビットの値が予め決められているビットデータである、請求項１または２に記載の生体マーキング用具セット。
【請求項４】
前記複数色の刺青用のインクのそれぞれは、麻酔成分を含む、請求項１〜３のいずれかに記載の生体マーキング用具セット。
【請求項５】
前記押付用具および前記インクシートの少なくともいずれか一方は、前記複数の刺青用の針のうちの少なくとも１つが前記複数のインク部をそれぞれ突き抜けるように、前記複数のインク部に対する前記複数の刺青用の針の位置を決定する位置決め部を有する、請求項１〜４のいずれかに記載の生体マーキング用具セット。
【請求項６】
前記複数色の刺青用のインクは、乾式インクである、請求項１〜５のいずれかに記載の生体マーキング用具セット。
【請求項７】
前記複数色の刺青用のインクは、蛍光インクである、請求項１〜６のいずれかに記載の生体マーキング用具セット。
【請求項８】
複数の刺青用の針が生体の表面に向かって押し付けられ得るように、前記複数の刺青用の針が器具本体に配列された生体マーキング用の押付用具であって、
それぞれが複数色の刺青用のインクのうちから選択されたいずれか１つの色の刺青用のインクを有する複数のインク部を含み、前記複数のインク部がシート本体に配列されたインクシートとともに用いられ、
前記複数の刺青用の針および前記複数のインク部は、前記複数の刺青用の針のうちの少なくともいずれか１つが前記複数のインク部のそれぞれを貫通し得る位置関係で配列されている、生体マーキング用の押付用具。
【請求項９】
複数の刺青用の針が生体の表面に向かって押し付けられ得るように、前記複数の刺青用の針が器具本体に配列された押付用具とともに用いられ、
それぞれが複数色の刺青用のインクのうちから選択されたいずれか１つの色の刺青用のインクを有する複数のインク部を含み、前記複数のインク部がシート本体に配列された生体マーキング用のインクシートであって、
前記複数の刺青用の針および前記複数のインク部は、前記複数の刺青用の針のうちの少なくともいずれか１つが前記複数のインク部のそれぞれを貫通し得る位置関係で配列されている、生体マーキング用のインクシート。
【請求項１０】
請求項１〜７のいずれかに記載の生体マーキング用具セットを用いた、生体マーキング方法。
【発明の詳細な説明】
【技術分野】
【０００１】
本発明は、生体にマーキングを付すための生体マーキング用具セット等に関する。
【背景技術】
【０００２】
従来から、たとえば、下記の特許文献１に開示されているように、刺青等の手法を利用して、生体へマークを付すことにより、複数の生体を識別する技術が用いられている。
【先行技術文献】
【特許文献】
【０００３】
【特許文献１】特表２０１７−５１７２５４号公報
【発明の概要】
【発明が解決しようとする課題】
【０００４】
従来の生体マーキング方法によれば、生体が動くため、生体へのマーキングが困難であるという問題が残存している。そのため、生体への識別情報のマーキングを容易に行うことができる技術が求められている。
【０００５】
本発明は、このような従来技術の有する課題に鑑みてなされたものである。そして、本発明の目的は、生体への識別情報のマーキングを容易に行うことができる生体マーキング用具セット、生体マーキング用の押付用具、生体マーキング用のインクシート、および生体マーキング方法を提供することである。
【課題を解決するための手段】
【０００６】
上記課題を解決するために、本発明の第１の態様に係る生体マーキング用具セットは、複数の刺青用の針が生体の表面に向かって押し付けられ得るように、前記複数の刺青用の針が器具本体に配列された押付用具と、それぞれが複数色の刺青用のインクのうちから選択されたいずれか１つの色の刺青用のインクを有する複数のインク部を含み、前記複数のインク部がシート本体に配列されたインクシートと、を備え、前記複数の刺青用の針および前記複数のインク部は、前記複数の刺青用の針のうちの少なくともいずれか１つが前記複数のインク部のそれぞれを貫通し得る位置関係で配列されている。
【０００７】
本発明の第２の態様に係る生体マーキング用の押付用具は、複数の刺青用の針が生体の表面に向かって押し付けられ得るように、前記複数の刺青用の針が器具本体に配列された生体マーキング用の押付用具であって、それぞれが複数色の刺青用のインクのうちから選択されたいずれか１つの色の刺青用のインクを有する複数のインク部を含み、前記複数のインク部がシート本体に配列されたインクシートとともに用いられ、前記複数の刺青用の針および前記複数のインク部は、前記複数の刺青用の針のうちの少なくともいずれか１つが前記複数のインク部のそれぞれを貫通し得る位置関係で配列されている。
【０００８】
本発明の第３の態様に係る生体マーキング用のインクシートは、複数の刺青用の針が生体の表面に向かって押し付けられ得るように、前記複数の刺青用の針が器具本体に配列された押付用具とともに用いられ、それぞれが複数色の刺青用のインクのうちから選択されたいずれか１つの色の刺青用のインクを有する複数のインク部を含み、前記複数のインク部がシート本体に配列された生体マーキング用のインクシートであって、前記複数の刺青用の針および前記複数のインク部は、前記複数の刺青用の針のうちの少なくともいずれか１つが前記複数のインク部のそれぞれを貫通し得る位置関係で配列されている。
【０００９】
本発明の第４の態様に係る生体マーキング方法は、前述の生体マーキング用具セットを用いるものである。
【発明の効果】
【００１０】
本発明の生体マーキング用具セット、生体マーキング用の押付用具、生体マーキング用のインクシート、および生体マーキング方法のそれぞれによれば、生体への識別情報のマーキングを容易に行うことができる。
【図面の簡単な説明】
【００１１】
【図１】本発明の実施の形態１の生体マーキング用具セットを示す図である。
【図２】本発明の実施の形態１の生体マーキング用具セットを用いて識別情報を付された生体の表面の状態を示す図である。
【図３】実施の形態２の生体マーキング用具セットのインクシートの平面図である。
【図４】実施の形態２の生体マーキング用具セットの刺青実行直前の縦断面図である。
【図５】実施の形態２の生体マーキング用具セットの刺青実行直前の一つの横断面図であって、図４のＶ-Ｖ線断面図である。
【図６】実施の形態２の生体マーキング用具セットの刺青実行直前の他の一つの横断面図であって、図４のＶＩ-ＶＩ線断面図である。
【図７】実施の形態２の生体マーキング用具セットの刺青実行直後の縦断面図である。
【図８】実施の形態３の生体マーキング用具セットの刺青実行直前の縦断面図である。
【図９】実施の形態３の生体マーキング用具セットのインクシートの平面図である。
【図１０】実施の形態３の生体マーキング用具セットの刺青実行直後の縦断面図である。
【図１１】実施の形態４の生体マーキング用具セットのインクシートの断面図である。
【図１２】実施の形態５の生体マーキング用具セットの刺青実行直前の縦断面図である。
【図１３】実施の形態５の生体マーキング用具セットの刺青実行直前の横断面図であって、図１２のＸＩＩＩ−ＸＩＩＩ線断面図である。
【図１４】実施の形態５の生体マーキング用具セットの刺青実行直後の縦断面図である。
【発明を実施するための形態】
【００１２】
以下、図面を参照しながら、実施の形態の生体マーキング用具セットを説明する。以下の複数の実施の形態においては、同一の参照符号が付された部分同士は、図面上における形状に多少の相違があっても、特段の記載がない限り、互いに同一の機能を発揮するものとする。
【００１３】
（実施の形態１）
図１および図２を用いて、実施の形態１の生体マーキング用具セット１２を説明する。
【００１４】
図１に示されるように、本実施の形態の生体マーキング用具セット１２は、押付用具１およびインクシート２を備えている。本実施の形態の生体マーキング用具セット１２は、図２に示されるように、生体３の表面３ｂに識別情報３ａを付すための一組の器具である。
【００１５】
図１に示されるように、押付用具１においては、複数の刺青用の針１ｂが図２に示される生体３の表面３ｂに向かって押し付けられ得るように、複数の刺青用の針１ｂが器具本体１ａに配列されている。押付用具１は、複数の刺青用の針１ｂと生体３との間にインクシート２が介在する状態で、複数の刺青用の針１ｂをインクシート２および生体３に突き刺すために用いられる。本実施の形態においては、押付用具１は、スタンプのような構造を有している。
【００１６】
図１に示されるように、インクシート２においては、複数のインク部２ｂがシート本体２ａに配列されている。複数のインク部２ｂは、それぞれが複数色の刺青用のインクのうちから選択されたいずれか１つの色の刺青用のインクを有する。インクシート２は、透明プラスチック製であり、カードのような形状をなしている。本実施の形態においては、インクシート２の平面形状は、長方形であるが、短冊状、正方形、菱形、円形、または楕円形等のいかなる形状であってもよい。
【００１７】
複数のインク部２ｂは、一般に使用されているエアークッションのように、柔軟な透明プラスチックによって形成される複数の密閉空間によって構成されている。複数の密閉空間のそれぞれには、刺青用のインクが内包されている。この透明プラスチックからなるインクシート２は、複数の刺青用の針１ｂが貫通し得る程度の硬さであって、かつ、外部から力がかけられていない自然状態では自身の形状を維持できる程度の硬さを有している。
【００１８】
複数の刺青用の針１ｂおよび複数のインク部２ｂは、複数の刺青用の針１ｂのうちの少なくともいずれか１つが複数のインク部２ｂのそれぞれを貫通し得る位置関係で配列されている。本実施の形態においては、たとえば、４つの刺青用の針１ｂが複数のインク部２ｂのそれぞれに突き刺さるように、複数の刺青用の針１ｂと複数のインク部２ｂとの位置関係が予め設定されている。ただし、１つまたは２つの刺青用の針１ｂが、対応する１つのインク部２ｂに突き刺さるように、複数の刺青用の針１ｂと複数のインク部２ｂとの位置関係が設定されていてもよい。
【００１９】
本実施の形態の刺青用のインクは、顔料または染料を含んだ液体であって、生体３の表面３ｂに色付けするために用いられるものである。ただし、刺青用のインクは、顔料または染料を含んだジェルまたは固体であってもよい。
【００２０】
本実施の形態の生体マーキング用具セット１２を使用するときには、たとえば、飼育員が、インクシート２を生体３の表面３ｂ、たとえば、家畜としての豚の背中の皮膚に、インクシート２を押し当てる。その後、飼育員は、インクシート２が生体３の表面３ｂと押付用具１との間に介在する状態で、押付用具１を生体３の表面３ｂに向かって押し付ける。
【００２１】
その結果、インクシート２が複数の刺青用の針１ｂと生体３の表面３ｂとの間に挟まれた状態で、複数の刺青用の針１ｂが生体３の表面３ｂに向かって押し付けられる。このとき、少なくとも１つの刺青用の針１ｂが複数のインク部２ｂのそれぞれを突き抜け、生体３の表面３ｂから皮膚に突き刺さる。
【００２２】
それにより、複数のインク部２ｂのそれぞれの色付きの刺青用のインクが複数の刺青用の針１ｂによって生体３の表面３ｂから皮膚の中に注入される。生体３の表面３ｂから皮膚の中に注入された色付きの複数の刺青用のインクが全体として識別情報３ａを構成する。その後、押付用具１およびインクシート２が生体３から引き離される。その結果、図２に示されるように、生体３の表面３ｂに色の配列からなる識別情報３ａを刺青として残すことができる。
【００２３】
上記のような本実施の形態の生体マーキング用具セット１２を用いた生体マーキング方法によれば、識別情報３ａの生体３の表面３ｂへのマーキングを容易に行うことができる。
【００２４】
また、本実施の形態の生体マーキング用具セット１２は、複数種類のインクシート２を備えている。複数のインク部２ｂの色の配列は、複数種類のインクシート２同士の間で互いに異なっている。そのため、複数の生体３のそれぞれに複数種類のインクシート２のいずれか１つを用いて識別情報３ａをマーキングすれば、複数の生体３のそれぞれの識別を行うことができる。
【００２５】
本実施の形態においては、複数のインク部２ｂは、図２に示されるように、異なる色の配列によって識別力を発揮するカラービット（Ｒ）を構成している。カラービット（Ｒ）は、図２に示される色の配列とは異なるが、複数の色、たとえば、赤、青、および緑の３色が一列に配列された一群の色配列の情報である。カラービット（Ｒ）は、一筆書きで描かれた色配列である。
【００２６】
カラービット（Ｒ）は、隣り合う色同士の変化の態様に応じて、ビットの値、すなわち、「１」または「０」が予め決められている、ビットデータである。たとえば、色が、赤から青へ、青から緑へ、および緑から赤へそれぞれ変化する場合に、「ビット」が「１」であり、色が、赤から緑へ、緑から青へ、および青から赤へそれぞれ変化する場合に、「ビット」が「０」であると決められている。
【００２７】
本実施の形態においては、識別情報３ａが、カラービット（Ｒ）を構成する刺青である。そのため、生体３の成長に起因して識別情報３ａを有する表面３ｂが広がっても、識別情報３ａを比較的正確に把握することができる。なお、識別情報３ａは、カラービット（Ｒ）に限定されず、複数の色の配列からなり、識別機能を発揮するものであれば、いかなるものであってもよい。
【００２８】
生体マーキング用具セット１２を用いた生体マーキング方法は、物理的には人間にも適用可能であるが、それが適用される生体３は、人間以外の動物を想定している。本実施の形態の生体３は、たとえば、豚であるものとする。ただし、生体３は、牛、馬、または羊等の豚以外の家畜であってもよい。
【００２９】
なお、本明細書において、家畜は、その生産物、たとえば、乳、肉、卵、毛、皮、もしくは毛皮、または労働力などを人間が利用するために飼育している動物の全てを含むものとする。したがって、複数のインク部２ｂの色の配列を識別情報３ａとして、複数の家畜のそれぞれを識別することによって、個々に家畜の状態を管理することができる。ただし、生体３は、家畜以外の動物であってもよい。
【００３０】
識別情報３ａは、それぞれ、たとえば、畜舎内の天井に設置された撮像部で撮像される確率を高くするため、本実施の形態においては、豚等の家畜の背中に付されるものとする。撮像部で撮像された識別情報３ａの画像データが制御部において処理される。たとえば、生体３が豚である場合、個々の豚の識別情報３ａとそれに対応する個々の豚の体重とが画像データから取得される。その結果、識別された個々の豚の体重のデータがコンピュータで管理される。それにより、たとえば、個々の豚の出荷の時期や個々の豚に与えることが好ましい１日の餌の量等を容易に把握することができる。
【００３１】
複数色の刺青用のインクのそれぞれは、麻酔成分を含んでいる。そのため、識別情報３ａを付すための生体３への刺青用のインクの注入と刺青による痛みを緩和するための麻酔成分の生体３への投与とを同時に行うことができる。麻酔成分は、一般的に生体３としての動物の手術に獣医が使用する麻酔薬と同様のものであってもよい。
【００３２】
また、本実施の形態においては、複数色の刺青用のインクのそれぞれは、蛍光インクである。蛍光インクは、普段は、すなわち、自然光または照明器具の光を受けているときは無色であるが、特定の波長の光、たとえば、紫外線から可視光線の短波長域までの光を受けると、所定の色、たとえば、青色または紫色の光を発するものである。たとえば、本実施の形態においては、蛍光インクは、ブラックライトによって光るインクであるものとする。ブラックライトとは、わずかに眼で見える長波長の紫外線を放射する電灯である。つまり、本実施の形態の複数色の刺青用のインクのそれぞれは、ある範囲内の波長の光によって蛍光する成分を含んでいるものであればよい。
【００３３】
そのため、暗い場所でもブラックライトによって紫外線を生体３に付された識別情報３ａに照射すると、その生体３の識別情報３ａが付された部分が発光する。その結果、暗がりでも個々の生体３を識別することができる。ただし、蛍光インクは、紫外線以外の他の光線によって光を発する蛍光塗料を含むインクであってもよい。
【００３４】
なお、いずれの場合においても、蛍光インクは、肉眼で識別可能な色を有していてもよい。つまり、自然光が照射されている状態で、色を有する光を反射するものであってもよい。また、刺青用のインクは、蛍光インクではなく、通常の顔料または染料を含むインクであってもよい。
【００３５】
図１に示されるように、インクシート２は、少なくとも１つの刺青用の針１ｂが複数のインク部２ｂのそれぞれに突き刺さるように、複数のインク部２ｂに対する複数の刺青用の針１ｂの位置を決定するための位置決め部２ｃを有している。本実施の形態においては、位置決め部２ｃは、押付用具１の平面視における輪郭に対応する図形を表示するように、インクシート２に描かれた線図、領域、または、インクシート２に加工された微小な切込みもしくは突起であるものとする。したがって、本実施の形態においては、飼育員は、生体マーキング用具セット１２の使用時には、インクシート２の位置決め部２ｃを目視した状態で、位置決め部２ｃに押付用具１の輪郭が一致するように、インクシート２に押付用具１を押し付ける。
【００３６】
前述のように、インクシート２が位置決め部２ｃを有していれば、少なくも１つの刺青用の針１ｂを複数のインク部２ｂのそれぞれに突き刺さすことが容易になる。ただし、少なくとも１つの刺青用の針１ｂが複数のインク部２ｂのそれぞれに突き刺さるのであれば、位置決め部２ｃはインクシート２にとって必須の構成ではない。また、本実施の形態においては、押付用具１が直方体であるため、位置決め部２ｃが長方形の枠である。しかしながら、位置決め部２ｃは、長方形の４つの辺のいずれかに、インクシート２の上下左右の判別を容易にする形状、たとえば、小さな三角形の窪み形状を有していてもよい。この場合、押付用具１は、位置決め部２ｃの小さな三角形の窪みに対応する形状を有していてもよい。
【００３７】
（実施の形態２）
図３〜図７を用いて、実施の形態２の生体マーキング用具セット１２を説明する。
【００３８】
本実施の形態の生体マーキング用具セット１２は、実施の形態１の生体マーキング用具セット１２とほぼ同様の構成を有している。そのため、以下、本実施の形態の生体マーキング用具セット１２と実施の形態１の生体マーキング用具セット１２との相違点を主に説明する。
【００３９】
図３に示されるように、本実施の形態においては、実施の形態１とは異なり、インクシート２は、その表面に描かれた図形である位置決め部２ｃ（図１参照）を有していない。
【００４０】
図４〜図７に示されるように、本実施の形態においては、押付用具１は、平面視において長方形の枠部を構成する筒状枠部１ｃを有している。筒状枠部１ｃは、直方体形状を有する器具本体１ａの外周を取り囲むように設けられ、器具本体１ａの外周に対して摺動する角筒状をなしている。器具本体１ａと筒状枠部１ｃとはそれぞれ弾性体１ｄに接続されている。弾性体１ｄは、器具本体１ａと筒状枠部１ｃとが互いに摺動する範囲を制限している。そのため、器具本体１ａがインクシート２に接触することが防止されているとともに、器具本体１ａと筒状枠部１ｃとが分離することが防止されている。弾性体１ｄは、図４に示されるように、力が加えられていない自然状態では、複数の刺青用の針１ｂを筒状枠部１ｃの下端開口から突出しない位置に退避させている。
【００４１】
また、本実施の形態においては、押付用具１は、筒状枠部１ｃに位置決め部１ｅを有している。位置決め部１ｅは、図４に示されるように、複数、たとえば、４つの刺青用の針１ｂが複数のインク部２ｂのそれぞれに対向するように、複数のインク部２ｂと複数の刺青用の針１ｂとの間の位置関係を物理的に固定する。位置決め部１ｅは、インクシート２を受入可能であって、かつ、インクシート２の移動を制限するスリット構造を有する被挿入部である。図５において矢印で示される方向にインクシート２が位置決め部１ｅ内に挿入されると、位置決め部１ｅは、長方形のインクシート２の３辺の位置を固定する。
【００４２】
図４および図５に示されるように、インクシート２は、位置決め部１ｅに挿入されている状態では、その位置が固定された状態で、位置決め部１ｅに支持されている。つまり、この状態では、複数のインク部２ｂのそれぞれは、少なくとも１つの刺青用の針１ｂの直下に位置付けられている。つまり、少なくとも１つの刺青用の針１ｂが複数のインク部２ｂのそれぞれに対して位置決めされている。
【００４３】
図４および図６に示されるように、本実施の形態においても、複数の刺青用の針１ｂが器具本体１ａの下側面に取り付けられている。複数の刺青用の針１ｂのうちの少なくとも１つ、本実施の形態においても、４つが、複数のインク部２ｂのそれぞれに突き刺さるように配列されている。
【００４４】
図７に示されるように、飼育員は、手で力Ｆを加えることによって、押付用具１を生体の表面３ｂに向かって押し付ける。このとき、複数のインク部２ｂと複数の刺青用の針１ｂとの位置関係が固定されている。そのため、少なくとも１つの刺青用の針１ｂは、複数のインク部２ｂのそれぞれを確実に突き抜ける。その後、複数の刺青用の針１ｂは、全体として、筒状枠部１ｃの下端開口から突出し、生体３に突き刺さる。したがって、生体３の表面３ｂへのマーキングの作業が容易である。
【００４５】
（実施の形態３）
図８〜図１０を用いて、実施の形態３の生体マーキング用具セット１２を説明する。
【００４６】
本実施の形態の生体マーキング用具セット１２は、実施の形態１または２の生体マーキング用具セット１２とほぼ同様の構成を有している。そのため、以下、本実施の形態の生体マーキング用具セット１２と実施の形態１または２の生体マーキング用具セット１２との相違点を主に説明する。
【００４７】
図８に示されるように、押付用具１は、筒状枠部１ｃを有している。筒状枠部１ｃは、実施の形態２の筒状枠部１ｃと同様の構造を有している。ただし、本実施の形態においては、筒状枠部１ｃは、位置決め部としても機能する。
【００４８】
図８および図９に示されるように、インクシート２は、実施の形態１と同様に、位置決め部２ｃを有している。ただし、本実施の形態においては、実施の形態１と異なり、位置決め部２ｃは、長方形の４辺を構成する枠状の突出部である枠状突起部によって構成されている。位置決め部２ｃとしての枠状突起部は、筒状枠部１ｃの内周面と平面視において相似形をなしている。そのため、図１０に示されるように、筒状枠部１ｃおよび位置決め部２ｃは、摺動しながら、互いに嵌り合うことができる。それにより、少なくとも１つの刺青用の針１ｂが複数のインク部２ｂのそれぞれに確実に突き刺さるように、複数のインク部２ｂと複数の刺青用の針１ｂとの位置関係を物理的に固定することができる。
【００４９】
図９および図１０に示されるように、本実施の形態においても、実施の形態１と同様に、複数のインク部２ｂは、一般に使用されているエアークッションのように、透明プラスチックによって形成される複数の密閉空間によって構成されている。また、複数の密閉空間のそれぞれに刺青用のインクが内包されている。
【００５０】
図８および図１０に示されるように、生体マーキング用具セット１２の使用時には、枠状突起部である位置決め部２ｃと位置決め部としての筒状枠部１ｃとが互いに嵌り合う。この状態では、インクシート２の表面と平行な方向において、位置決め部２ｃと筒状枠部１ｃとの互いの位置関係は固定されている。つまり、少なくとも１つの刺青用の針１ｂ、本実施の形態においても、４つの刺青用の針１ｂが、複数のインク部２ｂのそれぞれに対向するように、押付用具１とインクシート２との間の位置ズレが抑制されている。言い換えると、生体マーキング用具セット１２の刺青動作の直前においては、複数のインク部２ｂのそれぞれは、少なくとも１つの刺青用の針１ｂの直下に位置付けられている。
【００５１】
そのため、本実施形態においても、少なくとも１つの刺青用の針１ｂが複数のインク部２ｂのそれぞれに確実に突き抜ける。その後、複数の刺青用の針１ｂが全体として生体３に突き刺さる。その結果、生体３の表面３ｂへのマーキングの作業が容易である。
【００５２】
（実施の形態４）
図１１を用いて、実施の形態４の生体マーキング用具セット１２を説明する。
【００５３】
本実施の形態の生体マーキング用具セット１２は、実施の形態１〜３の生体マーキング用具セット１２とほぼ同様の構成を有している。そのため、以下、本実施の形態の生体マーキング用具セット１２と実施の形態１〜３の生体マーキング用具セット１２との相違点を主に説明する。
【００５４】
図１１に示されるように、本実施の形態のインクシート２は、シート本体２ａの下面上に装着された複数のインク部２ｂを有している。具体的には、複数のインク部２ｂは、接着剤等によってシート本体２ａの表面に固定されている。本実施の形態の場合、複数のインク部２ｂを構成する複数色の刺青インクのそれぞれは、個体の乾式インクである。本実施の形態のインクシート２によれば、液体の刺青用のインクを使用する場合に比較して、インクシート２からのインク漏れ等の不具合の発生確率を低減することができる。
【００５５】
本実施の形態の生体マーキング方法においては、まず、複数の刺青用の針１ｂが液体タンクに貯留された水等の透明の液体に浸るように、飼育員が押付用具１を移動させる。その後、飼育員が押付用具１を生体３に押し付ける。それにより、インクシート２が押付用具１と生体３の表面３ｂとの間に介在する状態で、透明の液体が付着した少なくとも１つの刺青用の針１ｂが複数のインク部２ｂのそれぞれを突き抜け、かつ、生体３の表面３ｂに突き刺さる。
【００５６】
それにより、少なくとも１つの刺青用の針１ｂが複数のインク部２ｂのそれぞれに突き刺されると、複数のインク部２ｂの刺青用のインクのそれぞれが複数の刺青用の針１ｂのそれぞれに付着した透明の液体中に溶け出す。その結果、透明の液体中に溶け込んだ刺青用のインクは、複数のインク部２ｂのそれぞれに接触している生体３の表面３ｂのそれぞれの位置において、生体３の皮膚に突き刺された複数の刺青用の針１ｂの表面を流れ、生体３の内部へ注入される。これにより、生体３内に注入された複数色の刺青用のインクの全体が識別情報３ａとして生体３の表面３ｂにマーキングされる。
【００５７】
本実施の形態のインクシート２は、位置決め部２ｃを有しているため、実施の形態３の押付用具１を用いて、刺青が実行される。しかしながら、インクシート２は位置決め部２ｃを有していなくてもよい。この場合、実施の形態１または２の押付用具１を用いて、刺青が実行される。
【００５８】
（実施の形態５）
図１２〜図１４を用いて、実施の形態５の生体マーキング用具セット１２を説明する。
【００５９】
本実施の形態の生体マーキング用具セット１２は、実施の形態１の生体マーキング用具セット１２とほぼ同様の構成を有している。そのため、以下、本実施の形態の生体マーキング用具セット１２と実施の形態１の生体マーキング用具セット１２との相違点を主に説明する。
【００６０】
図１２〜図１４に示されるように、押付用具１は、たとえば、家畜の耳を挟むことにより、家畜の耳の皮膚に複数の刺青用の針１ｂを押し付けるステープラー（ホッチキス）のような構造を有している。
【００６１】
図１２に示されるように、それぞれが板状部からなる器具本体１ａ，１ｆ，１ｋとその器具本体１ａ，１ｆ，１ｋを互いに開閉可能に接続するヒンジ部１ｈとを備えている。つまり、器具本体１ａ，１ｆ，１ｋは、ヒンジ部１ｈを回転の中心軸として、互いに回動可能にこの順番で接続されている。また、器具本体１ａは、その内側面に配列された複数の刺青用の針１ｂを有している。器具本体１ｆは、少なくとも１つの刺青用の針１ｂが挿入され得る位置に複数の貫通孔１ｇを有している。
【００６２】
図１３に示されるように、本実施の形態においては、押付用具１は、長方形のインクシート２の３辺の位置を固定する位置決め部１ｉを有している。位置決め部１ｉは、インクシート２の押付用具１に対する位置を固定するように構成され、平面視においてＵ字形状を有する突出縁部である。長方形のインクシート２の３辺が位置決め部１ｉによってその移動を制限される。
【００６３】
生体マーキング用具セット１２の使用時には、飼育員は、図１２に示される矢印Ａに沿って、器具本体１ａ，１ｆ，１ｋが互いに閉じるように、器具本体１ａ，１ｆ，１ｋを移動させる。それにより、図１４に示されるように、器具本体１ｋと器具本体１ｆとの間に生体３の一部、たとえば、生体３の耳が挟まれる。この状態で、器具本体１ａが器具本体１ｆに向かって押し付けられる。このとき、位置決め部１ｉは、器具本体１ａの移動を制限するストッパとして機能する。そのため、器具本体１ａがインクシートに接触することが防止されている。次に、少なくとも1つの刺青用の針１ｂが複数のインク部２ｂのそれぞれに突き刺さる。その後、少なくとも1つの刺青用の針１ｂは、複数のインク部２ｂおよび複数の貫通孔１ｇを突き抜け、生体３の耳に突き刺さる。それにより、表面３ｂから生体３の皮膚へ複数の刺青用のインクが注入される。その結果、識別情報３ａが生体３の耳へ付される。
【００６４】
本実施の形態においては、インクシート２と押付用具１との位置関係が位置決め部１ｉによって物理的に固定される。そのため、少なくとも１つの刺青用の針１ｂが複数のインク部２ｂのそれぞれに突き刺さる位置に、複数の刺青用の針１ｂと複数のインク部２ｂとが位置決めされる。その結果、本実施形態においても、少なくとも１つの刺青用の針１ｂが複数のインク部２ｂのそれぞれを確実に突き抜け、生体３に突き刺さる。そのため、生体３の表面３ｂへのマーキングの作業が容易である。
【００６５】
なお、器具本体１ｋは、必須の構成ではなく、設けられていなくてもよい。この場合、器具本体１ｆの貫通孔１ｇから突出する複数の刺青用の針１ｂを生体３の表面３ｂ、たとえば、豚の背中に向かって押し付けることにより、生体３の皮膚に識別情報３ａを刺青として残存させることができる。
【００６６】
（その他の実施の形態）
上記した各実施の形態においては、生体マーキング用具セット１２は、たとえば、飼育員等の人によって手動操作されるものとして記載されている。しかしながら、人のスイッチ操作のみで、生体マーキング用具セット１２の押付用具１およびインクシート２が機器によって自動的に移動されてもよい。すなわち、識別情報３ａが生体３に機器によって自動的に付されてもよい。
【００６７】
以下、実施の形態の生体マーキング用具セット１２、生体マーキング用の押付用具１、生体マーキング用のインクシート２、および生体マーキング方法の特徴的構成およびそれにより得られる効果を説明する。
【００６８】
（１）  実施の形態の生体マーキング用具セット１２は、押付用具１およびインクシート２を備えている。押付用具１においては、複数の刺青用の針１ｂが生体３の表面３ｂに向かって押し付けられ得るように、複数の刺青用の針１ｂが器具本体１ａに配列されている。インクシート２においては、それぞれが複数色の刺青用のインクのうちから選択されたいずれか１つの色の刺青用のインクを有する複数のインク部２ｂを含み、複数のインク部２ｂがシート本体２ａに配列されている。複数の刺青用の針１ｂおよび複数のインク部２ｂは、複数の刺青用の針１ｂのうちの少なくともいずれか１つが複数のインク部２ｂのそれぞれを貫通し得る位置関係で配列されている。これによれば、生体３への識別情報３ａのマーキングを容易に行うことができる。
【００６９】
（２）  生体マーキング用具セット１２は、複数種類のインクシート２を備えていてもよい。この場合、複数のインク部２ｂの色の配列は、複数種類のインクシート２の間で互いに異なっていることが好ましい。これによれば、複数の生体３のそれぞれの識別を行うことができる。
【００７０】
（３）  複数のインク部２ｂの色の配列は、異なる色の配列によって識別力を発揮するように、隣り合う色同士の変化の態様に応じてビットの値が予め決められているビットデータであってもよい。これによれば、生体３の成長によって識別情報３ａを有する表面３ｂが広がっても、識別情報３ａを比較的正確に把握することができる。
【００７１】
（４）  複数色の刺青用のインクのそれぞれは、麻酔成分を含んでいることが好ましい。これによれば、識別情報３ａを付すための生体３への刺青用のインクの注入と刺青による痛みを緩和するための麻酔成分の生体３への投与とを同時に行うことができる。
【００７２】
（５）  押付用具１およびインクシート２の少なくともいずれか一方は、位置決め部１ｅ，１ｉ，２ｃ，位置決め部（筒状枠部１ｃ）を有していることが好ましい。位置決め部１ｅ，１ｉ，２ｃ，位置決め部（筒状枠部１ｃ）は、複数の刺青用の針１ｂのうちの少なくとも１つが複数のインク部２ｂのそれぞれを突き抜けるように、複数のインク部２ｂに対する複数の刺青用の針１ｂの位置を決定する。これによれば、位置決め部１ｅ，１ｉ，２ｃ，位置決め部としての筒状枠部１ｃを利用することによって、生体３の表面３ｂへのマーキングを確実に実行することができる。
【００７３】
（６）  複数色の刺青用のインクは、乾式インクであることが好ましい。これによれば、インク漏れ等の不具合を抑制することができる。
【００７４】
（７）  複数色の刺青用のインクは、蛍光インクであることが好ましい。これによれば、暗い場所でも生体３を識別することができる。
【００７５】
（８）  押付用具１は、前述の生体マーキング用具セット１２を構成するものである。
【００７６】
（９）  生体マーキング用のインクシート２は、前述の生体マーキング用具セット１２を構成するものである。
【００７７】
（１０）  生体マーキング方法は、前述の生体マーキング用具セット１２を用いるものである。
【符号の説明】
【００７８】
１  押付用具
１ａ，１ｆ，１ｋ  器具本体
１ｂ  刺青用の針
１ｃ  筒状枠部（位置決め部）
１ｅ，１ｉ  位置決め部
２  インクシート
２ａ  シート本体
２ｂ  インク部
２ｃ  位置決め部
３  生体
３ａ  識別情報
３ｂ  表面
１２  生体マーキング用具セット
【図１】
2019110821.tif 000003
【図２】
2019110821.tif 000004
【図３】
2019110821.tif 000005
【図４】
2019110821.tif 000006
【図５】
2019110821.tif 000007
【図６】
2019110821.tif 000008
【図７】
2019110821.tif 000009
【図８】
2019110821.tif 000010
【図９】
2019110821.tif 000011
【図１０】
2019110821.tif 000012
【図１１】
2019110821.tif 000013
【図１２】
2019110821.tif 000014
【図１３】
2019110821.tif 000015
【図１４】
2019110821.tif 000016